(57)【要約】【課題】複数の照明器具の通信アドレスを容易に設定することができる通信アドレス設定方法等を提供する。【解決手段】操作端末２０に、複数の照明器具１０ａ〜１０ｈの通信アドレスを設定する通信アドレス設定方法であって、操作端末２０の画面２１に、複数の照明器具１０ａ〜１０ｈの配置関係に対応した複数のアイコンを、順番付けした状態で表示し、複数の照明器具１０ａ〜１０ｈのそれぞれから通信アドレスを取得し、順番付けした順番どおりに複数のアイコンと、取得した順に複数の通信アドレスとを関連付けし、関連付けた状態を２１画面に表示する。【選択図】図８Ｂ
2017220435.tif 000002
【特許請求の範囲】
【請求項１】
操作端末に、複数の照明器具の通信アドレスを設定する通信アドレス設定方法であって、
前記操作端末の画面に、前記複数の照明器具の配置関係に対応した複数のアイコンを、順番付けした状態で表示し、
前記複数の照明器具のそれぞれから前記通信アドレスを取得し、前記順番付けした順番どおりに、前記複数のアイコンと、前記取得した順に複数の通信アドレスとを関連付けし、前記関連付けた状態を前記画面に表示する
通信アドレス設定方法。
【請求項２】
前記複数の通信アドレスの取得順どおりに前記複数の照明器具を作動し、前記複数の照明器具が作動された順番と複数の前記アイコンを前記順番付けした順番とが一致する場合に、それぞれの前記アイコンに対する前記通信アドレスを確定し、前記確定した通信アドレスを前記アイコンにそれぞれ表示する
請求項１に記載の通信アドレス設定方法。
【請求項３】
前記複数の通信アドレスの取得順どおりに前記複数の照明器具を作動し、前記複数の照明器具が作動された順番と複数の前記アイコンを前記順番付けした順番とが一致しない場合に、一致しない前記通信アドレスを前記画面の所定領域に表示し、
前記所定領域に表示した通信アドレスを有する前記照明器具を作動し、前記作動された照明器具の位置を確認することで、前記所定領域に表示した通信アドレスを、前記作動された照明器具の位置に対応するアイコンに関連付けし、前記関連付けた状態を前記画面に表示する
請求項１に記載の通信アドレス設定方法。
【請求項４】
前記複数の通信アドレスの取得順どおりに前記複数の照明器具を作動し、前記複数の照明器具が作動された順番と複数の前記アイコンを前記順番付けした順番とが一致しない場合に、一致しない前記通信アドレスの照明器具を表す候補アイコンを前記画面の所定領域に表示し、
前記所定領域に表示した前記候補アイコンに対応する前記照明器具を作動し、前記作動された照明器具の位置を確認することで、前記候補アイコンに対応する照明器具の通信アドレスを、前記作動された照明器具の位置に対応するアイコンに関連付けし、前記関連付けた状態を前記画面に表示する
請求項１に記載の通信アドレス設定方法。
【請求項５】
前記順番付けした順番どおりに前記通信アドレスを取得する際、前記複数の照明器具から複数の通信アドレスを取得した場合に、前記取得した複数の通信アドレスそれぞれに対応する複数の候補アイコンを前記画面の所定領域に表示し、
前記所定領域に前記候補アイコンに対応する前記照明器具を作動し、前記作動された照明器具の位置を確認することで、前記所定領域に表示した前記候補アイコンに対応する照明器具の通信アドレスを、前記作動された照明器具の位置に対応するアイコンに関連付けし、前記関連付けた状態を前記画面に表示する
請求項１〜３のいずれか１項に記載の通信アドレス設定方法。
【請求項６】
前記所定領域に表示する候補アイコンには、前記候補アイコンに対応する照明器具の通信アドレスを含んで表示する
請求項５に記載の通信アドレス設定方法。
【請求項７】
前記複数の照明器具のそれぞれは、自身の通信アドレスを含む光ＩＤを発信し、
前記操作端末は、前記複数の照明器具のそれぞれから前記光ＩＤを受信することで、前記通信アドレスを取得する
請求項１〜６のいずれか１項に記載の通信アドレス設定方法。
【請求項８】
前記順番付けした順番どおりに、前記複数の照明器具の位置に応じて前記操作端末を移動させ、前記複数の照明器具のそれぞれの前記光ＩＤを受信することで、前記通信アドレスを取得する
請求項７に記載の通信アドレス設定方法。
【請求項９】
さらに、前記複数の照明器具の作動を制御する管理装置を備え、
前記複数のアイコンと前記取得した複数の通信アドレスとを関連付けた情報を前記管理装置に送信することで、前記管理装置に前記複数の照明器具の通信アドレスを設定する
請求項１〜８のいずれか１項に記載の通信アドレス設定方法。
【請求項１０】
複数の照明器具の通信アドレスを設定する操作端末であって、
前記複数の照明器具の配置関係に対応した複数のアイコンを表示する表示入力部と、前記複数の照明器具の前記通信アドレスを前記表示入力部に表示させる制御部とを備え、
前記制御部は、前記表示入力部に前記複数のアイコンを順番付けした状態で表示させ、前記順番付けした順番どおりに、前記複数の照明器具のそれぞれから前記通信アドレスを取得し、前記複数のアイコンと、前記取得した順に複数の通信アドレスとを関連付けし、前記関連付けた状態を前記表示入力部に表示させる
操作端末。
【請求項１１】
前記複数のアイコンと前記複数の通信アドレスとの関連付けができない場合には、所定領域に、対応付けられなかった通信アドレスに対応する照明器具を表すアイコンを表示させる
請求項１０に記載の操作端末。
【請求項１２】
複数の照明器具と、前記複数の照明器具の作動を制御する管理装置と、前記管理装置と通信する操作端末とを備える照明システムであって、
前記複数の照明器具のそれぞれは、自身の通信アドレスを含む光ＩＤを発する光源を備え、
前記操作端末は、前記複数の照明器具の配置関係に対応した複数のアイコンを表示する表示入力部と、前記光ＩＤを受信する受光部と、前記受光部で受信した光ＩＤに含まれる前記通信アドレスを前記表示入力部に表示させる制御部とを備え、
前記表示入力部には、前記複数のアイコンの順番付けが入力および表示され、
前記受光部は、前記順番付けした順番どおりに前記複数の照明器具のそれぞれから前記光ＩＤを受信し、
前記制御部は、前記受光部で受信した光ＩＤのそれぞれから前記通信アドレスをそれぞれ取得し、前記複数のアイコンと、前記取得した順に複数の通信アドレスとを関連付けて前記表示入力部に表示し、前記関連付けた情報を前記管理装置に送信する
照明システム。
【請求項１３】
前記複数のアイコンと前記複数の通信アドレスとの関連付けができない場合には、前記操作端末の前記表示入力部の所定領域に、対応付けられなかった通信アドレスに対応する照明器具を表すアイコンを表示させる
請求項１２に記載の照明システム。
【発明の詳細な説明】
【技術分野】
【０００１】
本発明は、複数の照明器具の通信アドレスを設定する通信アドレス設定方法、操作端末、および、照明システムに関する。
【背景技術】
【０００２】
従来、複数の照明器具と、複数の照明器具の点灯を制御する管理装置とを備える照明システムが知られている（特許文献１参照）。この照明システムでは、複数の照明器具の点灯を通信制御するために、各照明器具の通信アドレスが設定される。
【先行技術文献】
【特許文献】
【０００３】
【特許文献１】特開２０１１−７６８７５号公報
【発明の概要】
【発明が解決しようとする課題】
【０００４】
複数の照明器具が建物の造営材（天井など）に設置された直後は、照明器具の設置位置と照明器具の通信アドレスとの関係が不明であり、各照明器具を点灯制御することができない状態にある。そのため、照明システムにおいて、各照明器具の通信アドレスを設定する必要が生じるが、従来は、この通信アドレスを設定するために多大な労力を有する場合があった。
【０００５】
そこで、本発明は、複数の照明器具の通信アドレスを容易に設定することができる通信アドレス設定方法等を提供する。
【課題を解決するための手段】
【０００６】
本発明の通信アドレス設定方法の一態様は、操作端末に、複数の照明器具の通信アドレスを設定する通信アドレス設定方法であって、前記操作端末の画面に、前記複数の照明器具の配置関係に対応した複数のアイコンを、順番付けした状態で表示し、前記複数の照明器具のそれぞれから前記通信アドレスを取得し、前記順番付けした順番どおりに、前記複数のアイコンと、前記取得した順に複数の通信アドレスとを関連付けし、前記関連付けた状態を前記画面に表示する。
【０００７】
本発明の操作端末の一態様は、複数の照明器具の通信アドレスを設定する操作端末であって、前記複数の照明器具の配置関係に対応した複数のアイコンを表示する表示入力部と、前記複数の照明器具の前記通信アドレスを前記表示入力部に表示させる制御部とを備え、前記制御部は、前記表示入力部に前記複数のアイコンを順番付けした状態で表示させ、前記順番付けした順番どおりに、前記複数の照明器具のそれぞれから前記通信アドレスを取得し、前記複数のアイコンと、前記取得した順に複数の通信アドレスとを関連付けし、前記関連付けた状態を前記表示入力部に表示させる。
【０００８】
本発明の照明システムの一態様は、複数の照明器具と、前記複数の照明器具の作動を制御する管理装置と、前記管理装置と通信する操作端末とを備える照明システムであって、前記複数の照明器具のそれぞれは、自身の通信アドレスを含む光ＩＤを発する光源を備え、前記操作端末は、前記複数の照明器具の配置関係に対応した複数のアイコンを表示する表示入力部と、前記光ＩＤを受信する受光部と、前記受光部で受信した光ＩＤに含まれる前記通信アドレスを前記表示入力部に表示させる制御部とを備え、前記表示入力部には、前記複数のアイコンの順番付けが入力および表示され、前記受光部は、前記順番付けした順番どおりに前記複数の照明器具のそれぞれから前記光ＩＤを受信し、前記制御部は、前記受光部で受信した光ＩＤのそれぞれから前記通信アドレスをそれぞれ取得し、前記複数のアイコンと、前記取得した順に複数の通信アドレスとを関連付けて前記表示入力部に表示し、前記関連付けた情報を前記管理装置に送信する。
【発明の効果】
【０００９】
複数の照明器具の通信アドレスを容易に設定することができる。
【図面の簡単な説明】
【００１０】
【図１】比較例における操作端末の画面を示す図である。
【図２】実施の形態１に係る照明システムであって、この照明システムが備える複数の照明器具、管理装置および操作端末を示す模式図である。
【図３】実施の形態１に係る操作端末を示す模式図である。
【図４】実施の形態１に係る操作端末の制御構成を示すブロック図である。
【図５】実施の形態１における照明器具の制御構成を示すブロック図である。
【図６】実施の形態１における管理装置の制御構成を示すブロック図である。
【図７】実施の形態１の照明システムにて、複数の照明器具の通信アドレスを設定するための工程表である。
【図８Ａ】実施の形態１において、通信アドレス設定中の操作端末の画面を示す図である。
【図８Ｂ】図８Ａにつづき、通信アドレス設定中の照明システムを示す図である。
【図８Ｃ】図８Ｂにつづき、通信アドレス設定中の操作端末の画面を示す図である。
【図８Ｄ】図８Ｃにつづき、通信アドレス設定中の照明システムを示す図である。
【図８Ｅ】実施の形態１において、通信アドレス設定を完了する場面での操作端末の画面を示す図である。
【図９】実施の形態２において、通信アドレスの重複を修正するための工程表である。
【図１０Ａ】実施の形態２において、通信アドレスの重複を修正中の操作端末の画面を示す図である。
【図１０Ｂ】実施の形態２において、通信アドレスの重複を修正中の照明システムを示す図である。
【図１１】実施の形態３において、通信アドレスの間違いを修正するための工程表である。
【図１２Ａ】実施の形態３において、通信アドレスの間違いを修正中の操作端末の画面を示す図である。
【図１２Ｂ】実施の形態３において、通信アドレスの間違いを修正中の照明システムを示す図である。
【発明を実施するための形態】
【００１１】
本実施の形態に係る照明システムは、複数の照明器具と、複数の照明器具の作動を制御する管理装置と、管理装置と通信する操作端末とを備えている。
【００１２】
照明器具は、建物の造営材（天井など）に設置された直後は、照明器具の設置位置と照明器具の通信アドレスとの対応関係が不明な場合が多い。各照明器具を通信により点灯制御するためには、各照明器具の通信アドレスを把握する必要がある。そこで、各照明器具を建物に設置した後、各照明器具の設置位置と通信アドレスとを関連付ける作業、すなわち通信アドレスの設定が行われる。
【００１３】
図１は、比較例における操作端末（タブレット端末）の画面を示す図である。
【００１４】
通信アドレスを設定する設定者は、例えば、図１に示されるように、操作端末を用いて画面上に表示されている通信アドレス（１）を選択し、選択した通信アドレスに対応する照明器具を明暗（点滅）させることで、照明器具の位置と通信アドレスとの関係を知ることができる。そして、設定者は、選択した通信アドレスのアイコン（１）を、明暗させた照明器具に対応する画面上のアイコン（Ｎ）にドラッグドロップすることで、照明器具の設置位置と通信アドレスとを関連付けることができる。
【００１５】
しかしながら、建物に設置されている照明器具の台数が多い場合（例えば５０台以上ある場合）は、遠くに位置する照明器具もあるため、設定者は、選択したアドレスに対応する照明器具が、建物の中のどの位置にあるかをすぐに把握することが困難である。場合によっては、どの照明器具が明暗しているのかを確認するため、建物の端から端まで何度も往復することが起き、多大な労力が発生する。
【００１６】
そこで、本実施の形態では、複数の照明器具の通信アドレスを容易に設定することができる通信アドレス設定方法、操作端末、および、照明システムについて説明する。
【００１７】
以下、実施の形態に係る通信アドレス設定方法等について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１８】
なお、各図は、模式図であり、必ずしも厳密に図示されたものではない。また、各図において、実質的に同一の構成に対しては同一の符号を付しており、重複する説明は省略または簡略化する。
【００１９】
（実施の形態１）
＜１．１．照明システムの全体構成＞
図２は、実施の形態１に係る照明システム１００を示す模式図である。
【００２０】
照明システム１００は、複数の照明器具１０ａ、１０ｂ、１０ｃ、１０ｄ、１０ｅ、１０ｆ、１０ｇ、１０ｈと、操作端末２０と、管理装置３０とを備える。なお、図２では、一例として８台の照明器具１０ａ〜１０ｈが示されているが、実際は、建物の天井などに５０台以上の照明器具が設置されることがある。
【００２１】
図２を参照しながら、照明システム１００を構成する複数の照明器具１０ａ〜１０ｈ、操作端末２０および管理装置３０の通信系統について説明する。
【００２２】
操作端末２０と管理装置３０とは、無線ＲＦにより通信可能となっている。無線ＲＦによる通信方式としては、９２０ＭＨｚ帯もしくは２．４ＧＨｚ帯の周波数を利用した特定小電力無線、または、ＷｉＦｉ（登録商標）などの方式が用いられる。なお、操作端末２０と管理装置３０とを、ＵＳＢなどの接続端子を介して通信させてもよい。
【００２３】
管理装置３０と照明器具１０ａ〜１０ｈとは、有線で接続されている。なお、照明器具１０ａ〜１０ｈと管理装置３０とは、無線で通信可能となっていてもよい。
【００２４】
照明器具１０ａ〜１０ｈは、照明光を照射することはもちろん、光ＩＤ（Identifier）により他の機器と可視光通信を行うことができる。この可視光通信は、照明器具１０ａ〜１０ｈの通信アドレスを設定する際に、照明器具１０ａ〜１０ｈのそれぞれと操作端末２０との間で実行される。例えば、照明器具１０ａが発信する光ＩＤに照明器具１０ａの通信アドレス情報を含ませることで、操作端末２０に照明器具１０ａの通信アドレスを送信することができる。
【００２５】
以下、照明システム１００を構成する操作端末２０、照明器具１０ａ〜１０ｈおよび管理装置３０についてそれぞれ説明する。
【００２６】
＜１．２．操作端末＞
操作端末２０は、例えば、携帯可能なタブレット端末やスマートフォンであり、照明器具１０ａ〜１０ｈの通信アドレスを設定するための設定器として用いられる。
【００２７】
図３は、操作端末２０を示す模式図である。図４は、操作端末２０の制御構成を示すブロック図である。操作端末２０は、表示入力部（画面）２１、受光部２２、通信部２４および制御部２３を備えている。
【００２８】
受光部２２は、例えば、撮像素子を有するカメラであり、照明器具１０ａ〜１０ｈから発信される光ＩＤを受信する。
【００２９】
表示入力部２１は、例えば、タッチパネルディスプレイである。なお、以下において表示入力部２１を画面２１と呼ぶことがある。表示入力部２１は、マップ部２１ａと、操作入力部２１ｂと、関連付け表示部２１ｃと、修正入力部２１ｄとを有している。
【００３０】
マップ部２１ａには、照明器具１０ａ〜１０ｈの配置関係に対応したアイコンが表示される。操作入力部２１ｂには、通信アドレスの設定を行うための操作用ボタンが表示される。関連付け表示部２１ｃには、照明器具１０ａ〜１０ｈに対応するアイコン名と通信アドレスとが関連付けられた状態でリスト表示される。修正入力部２１ｄは、関連付けを修正する場合に用いられる所定の領域である。設定者は、表示入力部２１のアイコンまたは操作用ボタンを操作することで、後述する通信アドレス設定に必要な各工程を順に実行することができる。
【００３１】
制御部２３は、ＣＰＵ（central processing unit）、ＲＡＭ（Random Access Memory）およびＲＯＭ（read only memory）などにより構成され、表示入力部２１、受光部２２および通信部２４を制御する。制御部２３は、受光部２２にて受信したそれぞれの光ＩＤから照明器具１０ａ〜１０ｈの通信アドレスを読み取り保存する。また、制御部２３は、表示入力部２１にて入力されたコマンドを通信部２４を介して管理装置３０に送信したり、現状の通信アドレスの設定状態を表示入力部２１に表示させたりする。
【００３２】
通信部２４は、アンテナおよび無線モジュールなどにより構成されている。通信部２４は、無線ＲＦを用いて管理装置３０の第１通信部３２と通信可能になっている。制御部２３は、取得した照明器具１０ａ〜１０ｈの通信アドレスに関する情報を、無線ＲＦを用いて管理装置３０に送信する。
【００３３】
＜１．３．照明器具＞
照明器具１０ａ〜１０ｈは、例えば、ＬＥＤ（Light Emitting Diode）照明であり、建物の造営材（天井など）に設置される。照明器具１０ａ〜１０ｈは、操作端末２０が照明器具１０ａ〜１０ｈから光ＩＤを個別に取得しやすいように、例えば、５ｍほど間隔をあけて天井に設置される。
【００３４】
図５は、照明器具１０ａ〜１０ｈの制御構成を示すブロック図である。照明器具１０ａ〜１０ｈのそれぞれは、光源１４、制御部１３および通信部１１を備えている。
【００３５】
通信部１１は、管理装置３０の第２通信部３４と有線接続されており、管理装置３０からの作動指令を制御部１３に伝達する。
【００３６】
制御部１３は、ＣＰＵ、ＲＡＭおよびＲＯＭなどにより構成され、管理装置３０からの作動指令に基づいて光源１４を点灯制御する。通信アドレスを設定するにあたり、制御部１３は、操作端末２０から管理装置３０を介して所定の指令を受け、光源１４の点灯および作動を制御する。また、制御部１３には、自身の通信アドレスが保存されている。通信アドレスとしては、例えば、ＵＤＩＤ（Unique Device IDentifier）が用いられる。
【００３７】
光源１４は、例えば、白色光、赤色光、緑色光または青色光を発する複数の発光ダイオードを含んでいる。光源１４は、管理装置３０から指令を受けた制御部１３により調光制御および／または調色制御される。通信アドレスを設定するにあたり、光源１４は、光ＩＤを発信するように点滅制御され、また、下限点灯もしくは１００％点灯するように制御される。
【００３８】
＜１．４．管理装置＞
管理装置３０は、照明器具１０ａ〜１０ｈの作動制御を行うための管理サーバである。図６は、管理装置３０の制御構成を示すブロック図である。管理装置３０は、第１通信部３２、制御部３３、第２通信部３４および操作スイッチ３１を備えている。
【００３９】
制御部３３は、ＣＰＵ、ＲＡＭおよびＲＯＭなどにより構成され、照明器具１０ａ〜１０ｈの点灯を制御する。通信アドレスを設定するにあたり、制御部３３は、操作端末２０からの指令をもとに、照明器具１０ａ〜１０ｈの作動を制御する。
【００４０】
制御部３３は、照明器具１０ａ〜１０ｈを建物５０に設置した直後、すなわち、アドレス設定前では、各照明器具１０ａ〜１０ｈの通信アドレス情報を所有していない。制御部３３には、通信アドレスを取得した操作端末２０から、照明器具１０ａ〜１０ｈの設置位置と通信アドレスとの情報が関連付けられた状態で送信される。これにより、管理装置３０に通信アドレス情報が保存される。管理装置３０は、送信された通信アドレス情報に基づいて、照明器具１０ａ〜１０ｈの点灯を制御することができる。
【００４１】
第１通信部３２は、操作端末２０の通信部２４と無線ＲＦで通信する部分であり、第２通信部３４は、照明器具１０ａ〜１０ｈと有線で通信する部分である。
【００４２】
操作スイッチ３１は、照明器具１０ａ〜１０ｈを直接操作するスイッチであり、制御部３３と有線または無線で繋がっている。操作スイッチ３１は、管理装置３０の本体の外部であって、ユーザの手の届きやすい建物の壁などに設置される。
【００４３】
＜１．５．通信アドレス設定方法＞
次に、通信アドレス設定方法について具体的に説明する。
【００４４】
図７は、照明システム１００にて、複数の照明器具１０ａ〜１０ｈの通信アドレスを設定するための工程表である。
【００４５】
図８Ａは、通信アドレス設定中の操作端末２０の画面２１を示す図である。図８Ｂは、図８Ａにつづき、通信アドレス設定中の照明システム１００を示す図である。図８Ｃは、図８Ｂにつづき、通信アドレス設定中の操作端末２０の画面２１を示す図である。図８Ｄは、図８Ｃにつづき、通信アドレス設定中の照明システム１００を示す図である。図８Ｅは、通信アドレス設定を完了する場面での操作端末２０の画面２１を示す図である。
【００４６】
まず、図８Ａに示されるように、通信アドレスを設定する設定者が、操作端末２０の画面２１に複数のアイコンを配置する（Ｓ１）。具体的には、複数の照明器具１０ａ〜１０ｈの配置関係に対応させて、マップ部２１ａにアイコン（仮１）〜（仮８）を仮に配置する。例えば、照明器具１０ａ〜１０ｈが行列状に天井に設置されていれば、その行列状の配置に合わせて各アイコンを画面２１上に配置する。なお、アイコンの（仮１）〜（仮８）は、通信アドレスが設定される前の仮の名称である。
【００４７】
次に、設定者は、画面２１の操作入力部２１ｂに表示された「順序設定」ボタンを押し、照明システム１００を順序設定モードにする（Ｓ２）。
【００４８】
次に、設定者は、アイコン（仮１）〜（仮８）に対して順番付けを行う。具体的には、アイコン（仮１）〜（仮８）と照明器具１０ａ〜１０ｈの通信アドレスとの関連付けを行う順番を決める（Ｓ３）。例えば、設定者がアイコン（仮１）〜（仮８）を所定の順番で押し、または、画面２１上で関連付けを行う順の経路をなぞることで順番付けを行う。
【００４９】
この操作により、画面２１の関連付け表示部２１ｃに、（仮１）〜（仮８）のアイコン名がＳ３工程で決めた順番どおりにリスト表示される（Ｓ４）。
【００５０】
次に、設定者が、操作入力部２１ｂに表示された「自動関連付け開始」ボタンを押し、照明システム１００を関連付けモードにする（Ｓ５）。「自動関連付け開始」ボタンを押すことで、操作端末２０は、管理装置３０に対して関連付け開始コマンドを送信する。
【００５１】
関連付け開始コマンドを受信した管理装置３０は、図８Ｂに示されるように、複数の照明器具１０ａ〜１０ｈに対して、アドレス送信開始コマンドを送信する（Ｓ６）。
【００５２】
これにより、照明器具１０ａ〜１０ｈのそれぞれが、可視光通信を開始する（Ｓ７）。具体的には、照明器具１０ａ〜１０ｈのそれぞれの光源１４が点滅し、自身の通信アドレスを含む光ＩＤを発信する。なお、光源１４の点滅は、視覚では明暗を判別できないような小刻みな点滅である。
【００５３】
この状態で、設定者は、操作端末２０を持って、順番が１番目である照明器具１０ａの真下へ移動する（Ｓ８）。
【００５４】
これにより、操作端末２０が、照明器具１０ａの光ＩＤ、すなわち通信アドレスを受信する（Ｓ９）。操作端末２０の受光部２２であるカメラの光軸は、真上に位置する照明器具１０ａに向けておくことが望ましい。なお、操作端末２０は、受光部２２であるカメラで光ＩＤを受信可能な状態にあるが、隣の照明器具１０ｂの光ＩＤを受信しないように、意図的にカメラの視野角を狭くしてもよい。
【００５５】
次に、操作端末２０は、図８Ｃに示されるように、１番目の（仮１）のアイコン名と、Ｓ９工程で受信した照明器具１０ａの通信アドレスとを関連付けする（Ｓ１０）。具体的には、画面２１の関連付け表示部２１ｃに、１番目のアイコン名（仮１）と受信した通信アドレスを隣り合うように並べて表示することで関連付けする。
【００５６】
次に、Ｓ８工程〜Ｓ１０工程を、残りの照明器具１０ｂ〜１０ｈに対して同様に実行する。具体的には、設定者が操作端末２０を持ちながら、Ｓ３工程で決めた順番どおりに、複数の照明器具１０ｂ〜１０ｈの位置に応じて操作端末２０を移動させる。これにより、順番付けした順番どおりに、残りのアイコン（仮２）〜（仮８）と照明器具１０ｂ〜１０ｈの通信アドレスとを関連付けし、関連付け表示部２１ｃにリスト表示する（Ｓ１１）。
【００５７】
ここで、各アイコンと各通信アドレスとが一旦関連付けされるが、この段階ではまだ関連付けは確定していない。関連付け表示部２１ｃに表示された「キャンセル」ボタンは、関連付けを修正するためのボタンであり、この「キャンセル」ボタンが表示されていると、まだ関連付けが確定していない状態にある。キャンセルボタンの使い方は、実施の形態３で説明する。
【００５８】
次に、各アイコンと各通信アドレスの関連付けを確定させるため、関連付けが正しくなされているか否かの確認を行う。
【００５９】
まず、設定者が、操作入力部２１ｂに表示された「アドレス確認」ボタンを押す。これにより、照明器具１０ａ〜１０ｈが下限点灯するように、操作端末２０から下限点灯コマンドを管理装置３０に送信する（Ｓ１２、図８Ｄ参照）。管理装置３０は、このコマンドを受けて照明器具１０ａ〜１０ｈの全てを下限点灯させる。照明器具１０ａ〜１０ｈを下限点灯させるのは、１００％点灯させた照明器具との違いを分かりやすくするためである。したがって、照明器具１０ａ〜１０ｈは下限点灯に限られず、消灯であってもよい。なお、Ｓ１２工程以降では光ＩＤの発信は停止されている。
【００６０】
次に、操作端末２０は、Ｓ８工程〜Ｓ１０工程での通信アドレスの取得順どおりに、アドレス指定で照明器具１０ａ〜１０ｈを作動させる（Ｓ１３）。具体的には、画面２１の関連付け表示部２１ｃに表示された通信アドレスの取得順に、照明器具１０ａ〜１０ｈを１台ずつ１００％点灯させる。例えば、まず１番目に取得した通信アドレス「７」に対応する照明器具を１００％点灯させる。そして、１００％点灯した照明器具が、１番目に位置する照明器具１０ａであることを確認し、照明器具１０ａの設置位置に対応するアイコン（仮１）と通信アドレス「７」とが一致していることを確認する。
【００６１】
残りの照明器具１０ｂ〜１０ｈも同様に、通信アドレスの取得順に、照明器具１０ｂ〜１０ｈを１台ずつ１００％点灯させる。これにより、照明器具１０ａ〜１０ｈが１００％点灯した順番と、Ｓ３工程で決めた順番とが一致するか否かを判断する。一致している場合は、各アイコンと各通信アドレスとが正しく関連付けられていると判断できる（Ｓ１４）。
【００６２】
正しく関連付けられていると判断した場合は、操作入力部２１ｂの「設定完了」ボタンを押す（Ｓ１５）。この操作により、各アイコンに対する通信アドレスを確定する。
【００６３】
確定した通信アドレスは、図８Ｅに示されるように、画面２１のアイコン上にそれぞれ表示される。なお、図８Ｅでは（仮１）〜（仮８）のアイコン名を消去しているが、（仮１）〜（仮８）を消去せずに画面２１のアイコン上に残してもよい。確定した通信アドレスに関する情報は、操作端末２０から一括して管理装置３０に送信される。
【００６４】
＜１．６．効果等＞
本実施の形態に係る通信アドレス設定方法は、操作端末２０に、複数の照明器具１０ａ〜１０ｈの通信アドレスを設定（登録）する通信アドレス設定方法であって、操作端末２０の画面２１に、複数の照明器具１０ａ〜１０ｈの配置関係に対応した複数のアイコンを、順番付けした状態で表示し、複数の照明器具１０ａ〜１０ｈのそれぞれから通信アドレスを取得し、順番付けした順番どおりに、複数のアイコンと、取得した順に複数の通信アドレスとを関連付けし、関連付けた状態を画面２１に表示する。
【００６５】
これによれば、操作端末２０の画面２１のアイコンと複数の通信アドレスとを容易に関連付けることができるので、複数の照明器具１０ａ〜１０ｈの通信アドレスを容易に設定することが可能となる。
【００６６】
例えば、複数の通信アドレスの取得順どおりに複数の照明器具１０ａ〜１０ｈを作動し、複数の照明器具１０ａ〜１０ｈが作動された順番と複数のアイコンを順番付けした順番とが一致する場合に、それぞれのアイコンに対する通信アドレスを確定し、確定した通信アドレスをアイコンにそれぞれ表示してもよい。
【００６７】
これによれば、複数の照明器具１０ａ〜１０ｈの通信アドレスを容易に設定することができる。
【００６８】
例えば、複数の照明器具１０ａ〜１０ｈのそれぞれは、自身の通信アドレスを含む光ＩＤを発信し、操作端末２０は、複数の照明器具１０ａ〜１０ｈのそれぞれから光ＩＤを受信することで、通信アドレスを取得してもよい。
【００６９】
このように光ＩＤを受信することで、複数の照明器具１０ａ〜１０ｈから、通信アドレスを容易に取得することができる。
【００７０】
例えば、順番付けした順番どおりに、複数の照明器具１０ａ〜１０ｈの位置に応じて操作端末２０を移動させ、複数の照明器具１０ａ〜１０ｈのそれぞれの光ＩＤを受信することで、通信アドレスを取得してもよい。
【００７１】
このように、順番どおりに操作端末２０を移動させて通信アドレスを受信することで、通信アドレスを取得する際の労力を低減することができる。
【００７２】
例えば、さらに、複数の照明器具１０ａ〜１０ｈの作動を制御する管理装置３０を備え、複数のアイコンと、取得した複数の通信アドレスとを関連付けた情報を管理装置３０に送信することで、管理装置３０に複数の照明器具１０ａ〜１０ｈの通信アドレスを設定してもよい。
【００７３】
これによれば、管理装置３０が、送信された通信アドレスに基づいて、複数の照明器具１０ａ〜１０ｈを点灯制御することが可能となる。
【００７４】
また、本実施の形態に係る操作端末２０は、複数の照明器具１０ａ〜１０ｈの通信アドレスを設定する操作端末２０であって、複数の照明器具１０ａ〜１０ｈの配置関係に対応した複数のアイコンを表示する表示入力部２１と、複数の照明器具１０ａ〜１０ｈの通信アドレスを表示入力部２１に表示させる制御部２３とを備え、制御部２３は、表示入力部２１に複数のアイコンを順番付けした状態で表示させ、順番付けした順番どおりに、複数の照明器具１０ａ〜１０ｈのそれぞれから通信アドレスを取得し、複数のアイコンと、取得した順に複数の通信アドレスとを関連付けし、関連付けた状態を表示入力部２１に表示させる。
【００７５】
これによれば、操作端末２０の画面２１のアイコンと複数の通信アドレスとを容易に関連付けることができるので、複数の照明器具１０ａ〜１０ｈの通信アドレスを容易に設定することが可能となる。
【００７６】
例えば、操作端末２０は、複数のアイコンと複数の通信アドレスとの関連付けができない場合には、所定領域に、対応付けられなかった通信アドレスに対応する照明器具を表すアイコンを表示させてもよい。
【００７７】
また、本実施の形態に係る照明システム１００は、複数の照明器具１０ａ〜１０ｈと、複数の照明器具１０ａ〜１０ｈの作動を制御する管理装置３０と、管理装置３０と通信する操作端末２０とを備える照明システム１００であって、複数の照明器具１０ａ〜１０ｈのそれぞれは、自身の通信アドレスを含む光ＩＤを発する光源１４を備え、操作端末２０は、複数の照明器具１０ａ〜１０ｈの配置関係に対応した複数のアイコンを表示する表示入力部２１と、光ＩＤを受信する受光部２２と、受光部２２で受信した光ＩＤに含まれる通信アドレスを表示入力部２１に表示させる制御部２３とを備え、表示入力部２１には、複数のアイコンの順番付けが入力および表示され、受光部２２は、順番付けした順番どおりに複数の照明器具１０ａ〜１０ｈのそれぞれから光ＩＤを受信し、制御部２３は、受光部２２で受信した光ＩＤのそれぞれから通信アドレスをそれぞれ取得し、複数のアイコンと、取得した順に複数の通信アドレスとを関連付けて表示入力部２１に表示し、関連付けた情報を管理装置３０に送信する。
【００７８】
これによれば、照明システム１００において通信アドレスを容易に設定し、その通信アドレスに基づいて、複数の照明器具１０ａ〜１０ｈを点灯制御することが可能となる。
【００７９】
例えば、複数のアイコンと複数の通信アドレスとの関連付けができない場合には、操作端末２０の表示入力部２１の所定領域に、対応付けられなかった通信アドレスに対応する照明器具を表すアイコンを表示させてもよい。
【００８０】
（実施の形態２）
実施の形態１では、各アイコンと各通信アドレスとの関連付けが円滑に進んだ例を示したが、実施の形態２では、通信アドレスを重複して取得した場合について説明する。照明システム１００、照明器具１０ａ〜１０ｈ、操作端末２０および管理装置３０の構成は、実施の形態１と同じである。
【００８１】
＜２．１．通信アドレス設定方法＞
図９は、通信アドレスの重複を修正するための工程表である。図１０Ａは、通信アドレスの重複を修正中の操作端末２０の画面２１を示す図である。図１０Ｂは、通信アドレスの重複を修正中の照明システム１００を示す図である。
【００８２】
まず、設定者は１番目の照明器具１０ａの真下に移動し（Ｓ８）、この位置において照明器具１０ａから光ＩＤを受信する（Ｓ９）。実施の形態２では、このときに、操作端末２０が複数の通信アドレスを受信する。
【００８３】
複数の通信アドレスがほぼ同時に受信されると、操作端末２０の所定領域である修正入力部２１ｄに、重複して取得した通信アドレスのアイコンが表示される。そして、照明システム１００は、自動関連付けを一旦停止する（Ｓ１０Ａ）。また、設定者は、修正入力部２１ｄにアイコンが表示されたことに気づき、操作端末２０を持って移動することを中断する（図１０Ｂ参照）。
【００８４】
例えば、１番目の照明器具１０ａから通信アドレスを受信した際、隣に位置する照明器具１０ｂからも通信アドレスが受信されると、図１０Ａに示されるように、修正入力部２１ｄに両方の通信アドレス「３」および「７」が表示される。
【００８５】
通信アドレスの重複受信は、例えば、所定時間内（例えば２秒間）に複数の通信アドレスを受信したか否かで決まる。この所定時間は、照明器具１０ａ〜１０ｈの設置間隔および設定者の移動スピードによって適宜決められる。所定時間内に複数の通信アドレスを受信しなかった場合は、実施の形態１のように、関連付け表示部２１ｃに所定のアイコンと取得した通信アドレスとが関連付けられた状態で表示さる。
【００８６】
次に、設定者は、修正入力部２１ｄに表示された一方の通信アドレスのアイコンをタップすることで、この通信アドレスを有する照明器具を作動させる。例えば、図１０Ａに示す通信アドレス「３」のアイコンをタップして、管理装置３０を介して、操作端末２０から通信アドレス「３」に対応する照明器具に点滅信号を送信し点滅させる（Ｓ１１Ａ）。
【００８７】
設定者は、点滅した照明器具の設置位置から、その点滅した照明器具が画面２１上のどのアイコンに対応するかを確認することができる（Ｓ１２Ａ）。そして、設定者は、図１０Ａに示されるように、通信アドレス「３」のアイコンを、点滅した照明器具に対応するアイコン（仮２）にドラッグ＆ドロップする。これにより、アイコン（仮２）と通信アドレス「３」との関連付けを行う。
【００８８】
また、もう一方の通信アドレス「７」についても同様に、照明器具の点滅を確認した後、通信アドレス「７」のアイコンをアイコン（仮１）にドラッグ＆ドロップする。これによりアイコン（仮１）と通信アドレス「７」との関連付けを行う（Ｓ１３Ａ）。
【００８９】
重複受信した通信アドレスについての関連付けを終えると、設定者は、修正入力部２１ｄに表示された「自動関連付け再開」ボタンを押す。そして、残りの照明器具１０ｃ〜１０ｈについて、自動関連付けを再開する。なお、アイコン（仮２）については、通信アドレスがすでに関連付けされているので、アイコン（仮２）に対応する照明器具１０ｂの下では光ＩＤが入力されても、それを無視するように設定することもできる。
【００９０】
なお、上記実施の形態では、画面２１の所定領域に通信アドレスを表示させているが、通信アドレスの表示がないアイコン（以下、候補アイコンと呼ぶ）のみを表示し、その候補アイコンを使って、関連付けを行うようにしてもよい。
【００９１】
＜２．２．効果等＞
本実施の形態に係る通信アドレス設定方法は、順番付けした順番どおりに通信アドレスを取得する際、複数の照明器具から複数の通信アドレスを取得した場合に、取得した複数の通信アドレスそれぞれに対応する複数の候補アイコンを画面２１の所定領域（修正入力部２１ｄ）に表示し、所定領域に候補アイコンに対応する照明器具を作動し、作動された照明器具の位置（例えば照明器具１０ｂの位置）を確認することで、所定領域に表示した候補アイコンに対応する照明器具の通信アドレスを、作動された照明器具（例えば照明器具１０ｂ）の位置に対応するアイコン（例えばアイコン（仮２））に関連付けし、前記関連付けた状態を前記画面に表示する。
【００９２】
これによれば、通信アドレスが重複して取得された場合であっても、各アイコンと各通信アドレスとの関連付けを容易に修正することができ、通信アドレスを容易に設定することができる。
【００９３】
また、所定領域に表示する候補アイコンには、候補アイコンに対応する照明器具の通信アドレス（例えば通信アドレス「３」および「７」）を含んで表示してもよい。
【００９４】
（実施の形態３）
実施の形態３では、複数の照明器具１０ａ〜１０ｈが作動された順番と、Ｓ３工程で決めた順番とが一致しない場合について説明する。照明システム１００、照明器具１０ａ〜１０ｈ、操作端末２０および管理装置３０の構成は、実施の形態１と同じである。
【００９５】
＜３．１．通信アドレス設定方法＞
図１１は、通信アドレスの間違いを修正するための工程表である。図１２Ａは、通信アドレスの間違いを修正中の操作端末２０の画面２１を示す図である。図１２Ｂは、通信アドレスの間違いを修正中の照明システム１００を示す図である。
【００９６】
まず、設定者は、操作入力部２１ｂの「アドレス確認」ボタンを押すことで（Ｓ１２）、通信アドレスの取得順どおりに、複数の照明器具１０ａ〜１０ｈを１００％点灯させる（Ｓ１３）。このとき、１００％点灯する照明器具が順番付けした順番どおりであれば問題ないが、順番が１つ飛んだり戻ったりした場合に、関連付けに間違いがあると判断する。
【００９７】
例えば、図１２Ａに示されるように、（仮３）および（仮４）に関連付けられた通信アドレス「２」および「８」が逆になっていると、照明器具１０ｃ、１０ｄの点灯する順番が、順番付けした順番と異なってくる。
【００９８】
その場合、設定者は、関連付けされた通信アドレスが間違っていると判断し、該当する通信アドレス「２」および「８」の「キャンセル」ボタンを押す（Ｓ１５Ｂ）。
【００９９】
これにより、キャンセルされた通信アドレス「２」および「８」について関連付けが解除され、画面２１の所定領域に表示される（Ｓ１６Ｂ）。具体的には、間違って関連付けられた通信アドレス「２」および「８」が、画面２１の修正入力部２１ｄにアイコンとなってそれぞれ表示される。
【０１００】
次に、設定者は、一方の通信アドレス「２」のアイコンをタップすることで、この通信アドレスを有する照明器具を作動させる。具体的には、管理装置３０を介して操作端末２０から通信アドレス「２」に対応する照明器具に点滅信号を送信し点滅させる（Ｓ１７Ｂ、図１２Ｂ参照）。
【０１０１】
設定者は、点滅した照明器具の設置位置から、その点滅した照明器具が画面２１上のどのアイコンに対応するかを確認することができる。そして、設定者は、図１２Ａに示されるように、通信アドレス「２」のアイコンを、点滅した照明器具に対応するアイコン（仮４）にドラッグ＆ドロップする。これにより、アイコン（仮４）と通信アドレス「２」との関連付けを行う（Ｓ１８Ｂ）。
【０１０２】
また、もう一方の通信アドレス「８」についても同様に、照明器具の点滅を確認した後、通信アドレス「８」のアイコンをアイコン（仮３）にドラッグ＆ドロップする。これによりアイコン（仮３）と通信アドレス「８」との関連付けを行う（Ｓ１９Ｂ）。
【０１０３】
間違って受信した通信アドレスについての関連付けを終えると、設定者は、操作入力部２１ｂに表示された「設定完了」ボタンを押す。この操作により、間違って関連付けられたアイコンと通信アドレスとの関連付けを修正し確定する（Ｓ２０Ｂ）。
【０１０４】
＜３．２．効果等＞
本実施の形態に係る通信アドレス設定方法は、複数の通信アドレスの取得順どおりに複数の照明器具１０ａ〜１０ｈを作動し、複数の照明器具１０ａ〜１０ｈが作動された順番と、複数のアイコンを順番付けした順番とが一致しない場合に、一致しない通信アドレス（例えば通信アドレス「２」および「８」）を画面２１の所定領域（修正入力部２１ｄ）に表示し、所定領域に表示した通信アドレス（例えば通信アドレス「２」）を有する照明器具を作動し、作動された照明器具の位置（例えば照明器具１０ｄの位置）を確認することで、所定領域に表示した通信アドレスを、作動された照明器具（例えば照明器具１０ｄ）の位置に対応するアイコン（例えばアイコン（仮４））に関連付けし、関連付けた状態を画面２１に表示する。
【０１０５】
これによれば、通信アドレスが間違って取得された場合であっても、アイコンと通信アドレスとの関連付けを容易に修正することができ、通信アドレスを容易に設定することができる。
【０１０６】
なお、上記実施の形態では、画面２１の所定領域に通信アドレスを表示させているが、通信アドレスの表示がないアイコン（候補アイコン）のみを表示し、その候補アイコンを使って、関連付けを行うようにしてもよい。
【０１０７】
すなわち、本実施の形態に係る通信アドレス設定方法は、複数の通信アドレスの取得順どおりに複数の照明器具１０ａ〜１０ｈを作動し、複数の照明器具１０ａ〜１０ｈが作動された順番と複数のアイコンを順番付けした順番とが一致しない場合に、一致しない通信アドレスの照明器具を表す候補アイコンを画面の所定領域（修正入力部２１ｄ）に表示し、所定領域に表示した候補アイコンに対応する照明器具を作動し、作動された照明器具の位置（例えば照明器具１０ｄの位置）を確認することで、候補アイコンに対応する照明器具の通信アドレスを、作動された照明器具（例えば照明器具１０ｄ）の位置に対応するアイコン（例えばアイコン（仮４））に関連付けし、関連付けた状態を画面２１に表示してもよい。
【０１０８】
＜その他の形態＞
以上、通信アドレス設定方法、操作端末２０および照明システム１００について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【符号の説明】
【０１０９】
１０ａ、１０ｂ、１０ｃ、１０ｄ、１０ｅ、１０ｆ、１０ｇ、１０ｈ  照明器具
１４    光源
２０    操作端末
２１    表示入力部（画面）
２２    受光部
２３    制御部
３０    管理装置
１００  照明システム
ＲＦ    無線
【図１】
2017220435.tif 000003
【図２】
2017220435.tif 000004
【図３】
2017220435.tif 000005
【図４】
2017220435.tif 000006
【図５】
2017220435.tif 000007
【図６】
2017220435.tif 000008
【図７】
2017220435.tif 000009
【図８Ａ】
2017220435.tif 000010
【図８Ｂ】
2017220435.tif 000011
【図８Ｃ】
2017220435.tif 000012
【図８Ｄ】
2017220435.tif 000013
【図８Ｅ】
2017220435.tif 000014
【図９】
2017220435.tif 000015
【図１０Ａ】
2017220435.tif 000016
【図１０Ｂ】
2017220435.tif 000017
【図１１】
2017220435.tif 000018
【図１２Ａ】
2017220435.tif 000019
【図１２Ｂ】
2017220435.tif 000020